(57)【要約】【課題】冷却処理にて発生する結露水を効率よく再蒸発させることができながら、部材点数の増加や構成の複雑化を招くことなく、結露水に対する処置を適切に行うこと。【解決手段】冷却処理にて空調対象空間の顕熱負荷を賄うように、空調対象空間からの還気ＲＡを冷却処理する冷却処理部２１と、その冷却処理部２１での冷却処理後の還気ＲＡを給気ＳＡ１として空調対象空間に供給する給気供給部２２と、冷却処理部２１での冷却処理により発生する結露水を再蒸発させる再蒸発部２８とが備えられ、再蒸発部２８は、空調対象空間からの還気ＲＡにて結露水を再蒸発させるように構成され、給気供給部２２は、冷却処理後の還気ＲＡに加えて、再蒸発部にて結露水の再蒸発に用いられた還気ＲＡ１を給気ＳＡ１として空調対象空間に供給するように構成されている。【選択図】図２
2018194215.tif 000002
【特許請求の範囲】
【請求項１】
冷却処理にて空調対象空間の顕熱負荷を賄うように、空調対象空間からの還気を冷却処理する冷却処理部と、
その冷却処理部での冷却処理後の還気を給気として空調対象空間に供給する給気供給部と、
前記冷却処理部での冷却処理により発生する結露水を再蒸発させる再蒸発部とが備えられ、
前記再蒸発部は、空調対象空間からの還気にて結露水を再蒸発させるように構成され、
前記給気供給部は、冷却処理後の還気に加えて、前記再蒸発部にて結露水の再蒸発に用いられた還気を給気として空調対象空間に供給するように構成されている空調装置。
【請求項２】
前記再蒸発部は、前記冷却処理部にて冷却処理される前の還気にて結露水を再蒸発させるように構成されている請求項１に記載の空調装置。
【請求項３】
前記冷却処理部での冷却処理により発生する結露水を受け止める受け止め部が備えられ、前記受け止め部は、その一端側部位が他端側部位よりも下方側に位置する傾斜姿勢にて備えられ、前記再蒸発部は、前記受け止め部において、下方側に位置する一端側部位に還気を供給して結露水を蒸発させるように構成されている請求項１又は２に記載の空調装置。
【請求項４】
前記冷却処理部は、上端部から下端部に向けて流通する冷水にて還気を冷却処理するように構成され、前記再蒸発部は、結露水が前記冷却処理部の下端部に落下するまでに、前記冷却処理部に供給される還気にて結露水を再蒸発させるように構成されている請求項１〜３の何れか１項に記載の空調装置。
【請求項５】
前記冷却処理部は、冷媒回路における膨張後の冷媒にて還気を冷却するように構成され、前記冷却処理部での冷却処理により発生する結露水を受け止める受け止め部が備えられ、前記受け止め部には、受け止める結露水と熱交換可能に前記冷媒回路における膨張前の冷媒を通流させる熱交換用配管部が備えられている請求項１〜３の何れか１項に記載の空調装置。
【請求項６】
請求項１〜５の何れか１項に記載の空調装置を備えた空調システムであって、空調対象空間の潜熱負荷を賄う潜熱処理空調装置が備えられている空調システム。
【発明の詳細な説明】
【技術分野】
【０００１】
本発明は、空調対象空間の空調を行う空調装置、及び、その空調装置を備えた空調システムに関する。
【背景技術】
【０００２】
上記のような空調装置では、空調対象空間からの還気を冷却処理する冷却処理部と、冷却処理部での冷却処理後の還気を給気として空調対象空間に供給する給気供給部とが備えられている。空調装置は、冷却処理後の還気を空調対象空間に供給することで、空調対象空間の冷房を行っている（例えば、特許文献１参照。）。
【０００３】
このような空調装置では、冷却処理部にて還気を冷却処理する際に、結露水が発生する場合があるので、結露水に対する処置を行うことが求められている。
【０００４】
特許文献１に記載の空調装置では、冷却処理にて還気を冷却させるために用いる冷媒の蒸発温度を上昇させる、或いは、冷却処理部に供給する還気の風量を増加させる等の結露水の発生を防止するための運転条件にて冷却処理を行うようにしている。これにより、冷却処理部にて還気を冷却処理する際に、結露水の発生自体を防止している。
【０００５】
また、特許文献１に記載の空調装置では、結露水が発生した場合でも、その結露水を受け止め部にて受け止めている。そして、冷却処理部にて冷却処理を行う冷房運転後に、空調対象空間からの還気を受け止め部に送風させる送風運転等を行うことで、受け止め部にて受け止めた結露水を再蒸発させるようにしている。
【０００６】
冷却処理にて発生した結露水を再蒸発させる構成としては、空調対象空間から外部に排気する還気を受け止め部に送風させることで、結露水を再蒸発させるものもある（例えば、特許文献２参照。）。この特許文献２に記載の空調装置では、冷却処理の対象が、空調対象空間からの還気ではなく、外気であり、冷却処理後の外気を空調対象空間に供給することで、空調対象空間の冷房を行っている。
【先行技術文献】
【特許文献】
【０００７】
【特許文献１】特開２００３−１０６６１９号公報
【特許文献２】特開２０１５−１９４３０４号公報
【発明の概要】
【発明が解決しようとする課題】
【０００８】
特許文献１に記載の空調装置では、結露水を再蒸発させるために、送風運転等を行っているが、送風運転等を行うのが冷房運転後となっている。よって、結露水が発生する冷却処理の実行中には、結露水の再蒸発を行うことができず、結露水の再蒸発を効率よく行うことができなかった。しかも、冷房運転後に、結露水を再蒸発させるための送風運転等を行わなければならず、それだけ消費エネルギーが増加して、ランニングコストの増大を招くことになる。
【０００９】
特許文献２に記載の空調装置では、冷却処理の実行中にも、空調対象空間からの還気を外部に排気していることから、その還気を受け止め部に送風させることで、冷却処理の実行中にも結露水を再蒸発させることができる。しかしながら、結露水が発生する冷却処理部の配置箇所と空調対象空間からの還気を外部に排気する排気路の配置箇所とが異なることから、冷却処理にて発生した結露水を排気路に導くための各種の部材を備えなければならず、部材点数の増加や構成の複雑化を招くことになる。
【００１０】
この実情に鑑み、本発明の主たる課題は、冷却処理にて発生する結露水を効率よく再蒸発させることができながら、部材点数の増加や構成の複雑化を招くことなく、結露水に対する処置を適切に行うことができる空調装置を提供する点にある。
【課題を解決するための手段】
【００１１】
本発明の第１特徴構成は、冷却処理にて空調対象空間の顕熱負荷を賄うように、空調対象空間からの還気を冷却処理する冷却処理部と、
その冷却処理部での冷却処理後の還気を給気として空調対象空間に供給する給気供給部と、
前記冷却処理部での冷却処理により発生する結露水を再蒸発させる再蒸発部とが備えられ、
前記再蒸発部は、空調対象空間からの還気にて結露水を再蒸発させるように構成され、
前記給気供給部は、冷却処理後の還気に加えて、前記再蒸発部にて結露水の再蒸発に用いられた還気を給気として空調対象空間に供給するように構成されている点にある。
【００１２】
本構成によれば、冷却処理部では、空調対象空間の顕熱負荷を賄うように冷却処理を行うので、その冷却処理によって結露水が発生すること自体を防止することができる。再蒸発部は、空調対象空間からの還気にて結露水を再蒸発させるので、冷却処理によって結露水が僅かに発生しても、その結露水を再蒸発させることができる。このように、結露水の発生を防止する状態で冷却処理を行いながら、僅かに結露水が発生しても、その結露水を再蒸発させることができるので、結露水を外部に排水するための設備等を備えなくてもよく、装置構成の簡略化を図ることができる。
【００１３】
冷却処理の実行中には、空調対象空間からの還気を冷却処理部に供給するので、再蒸発部は、空調対象空間からの還気を冷却処理部に供給するという元々の構成を利用しながら、冷却処理の実行中に結露水を再蒸発させることができる。しかも、給気供給部は、冷却処理後の還気に加えて、結露水の再蒸発に用いられた還気を給気として空調対象空間に供給するので、空調対象空間からの還気を冷却処理部に供給し、冷却処理部に供給された還気を給気として空調対象空間に供給するという空調装置としての本来の機能をそのまま利用しながら、結露水の再蒸発を適切に行うことができる。よって、冷却処理にて発生する結露水を効率よく再蒸発させることができながら、部材点数の増加や構成の複雑化を招くことなく、本来備えられる構成や機能を十分に活用することができる。
【００１４】
本発明の第２特徴構成は、前記再蒸発部は、前記冷却処理部にて冷却処理される前の還気にて結露水を再蒸発させるように構成されている点にある。
【００１５】
本構成によれば、再蒸発部は、冷却処理される前の還気にて結露水を再蒸発させるので、比較的温度の高い還気を用いて結露水の再蒸発を行うことができ、結露水の再蒸発を効率よく行うことができる。
【００１６】
本発明の第３特徴構成は、前記冷却処理部での冷却処理により発生する結露水を受け止める受け止め部が備えられ、前記受け止め部は、その一端側部位が他端側部位よりも下方側に位置する傾斜姿勢にて備えられ、前記再蒸発部は、前記受け止め部において、下方側に位置する一端側部位に還気を供給して結露水を蒸発させるように構成されている点にある。
【００１７】
上述の如く、冷却処理部では、空調対象空間の顕熱負荷を賄うように冷却処理を行うので、冷却処理によって僅かの結露水が発生する可能性がある。そこで、本構成によれば、傾斜姿勢の受け止め部を備えることで、受け止め部において下方側に位置する一端側部位に僅かに発生する結露水を集めることができる。再蒸発部は、結露水が集められる受け止め部において下方側に位置する一端側部位に還気を供給するので、結露水の再蒸発を適切に効率よく行うことができる。
【００１８】
本発明の第４特徴構成は、前記冷却処理部は、上端部から下端部に向けて流通する冷水にて還気を冷却処理するように構成され、前記再蒸発部は、結露水が前記冷却処理部の下端部に落下するまでに、前記冷却処理部に供給される還気にて結露水を再蒸発させるように構成されている点にある。
【００１９】
本構成によれば、冷却処理部は、上端部から下端部に向けて流通する冷水にて還気を冷却処理するので、冷却処理部の上端部側では、比較的低温の冷水が流通することから、その冷水の冷却処理によって結露水が発生する場合がある。発生した結露水は、冷却処理部の上端部側から下端部に向けて落下する。そこで、再蒸発部は、結露水が冷却処理部の下端部に落下するまでに、冷却処理部に供給される還気にて結露水を再蒸発させている。再蒸発部は、冷却処理部の下端部側に供給される還気を利用して、結露水が冷却処理部の下端部に落下するまでに、結露水を再蒸発させることができ、元々備えられる構成を有効に活用しながら、結露水の再蒸発を効率よく行うことができる。
【００２０】
本発明の第５特徴構成は、前記冷却処理部は、冷媒回路における膨張後の冷媒にて還気を冷却するように構成され、前記冷却処理部での冷却処理により発生する結露水を受け止める受け止め部が備えられ、前記受け止め部には、受け止める結露水と熱交換可能に前記冷媒回路における膨張前の冷媒を通流させる熱交換用配管部が備えられている点にある。
【００２１】
本構成によれば、受け止め部には、冷媒回路における膨張前の冷媒を通流させる熱交換用配管部が備えられ、熱交換用配管部を通流する冷媒と受け止め部にて受け止めた結露水とが熱交換可能である。冷媒と結露水との熱交換によって、結露水を再蒸発させることができ、結露水の再蒸発を確実に行うことができる。
【００２２】
本発明の第６特徴構成は、上述の第１〜第５特徴構成の何れかに記載の空調装置を備えた空調システムであって、空調対象空間の潜熱負荷を賄う潜熱処理空調装置が備えられている点にある。
【００２３】
上述の如く、冷却処理部では、空調対象空間の顕熱負荷を賄うように冷却処理を行うので、結露水の発生を防止しながら、空調対象空間の顕熱負荷を賄うことができるが、空調対象空間の潜熱処理を賄うことができない。そこで、空調対象空間の空調を行う空調システムとしては、空調対象空間の潜熱負荷を賄う潜熱処理空調装置を備えている。これにより、空調対象空間の顕熱負荷と潜熱負荷とを、空調対象空間の顕熱負荷を賄う冷却処理部を備えた空調装置と潜熱処理空調装置とで分担して、空調装置での結露水の発生を防止しながら、空調対象空間の空調を適切に行うことができる。
【図面の簡単な説明】
【００２４】
【図１】空調システムの全体概略を示す図
【図２】顕熱処理空調装置の概略構成を示す図
【図３】顕熱処理空調装置の概略構成を示す図
【図４】第２実施形態における顕熱処理空調装置の概略構成を示す図
【図５】第３実施形態における顕熱処理空調装置の概略構成を示す図
【発明を実施するための形態】
【００２５】
本発明に係る空調装置を備えた空調システムの実施形態を図面に基づいて説明する。
〔第１実施形態〕
この空調システムは、図１に示すように、空調対象空間１の顕熱負荷を賄う顕熱処理空調装置２（本発明の空調装置に相当する）と、空調対象空間１の潜熱負荷を賄う潜熱処理空調装置３とが備えられている。
【００２６】
空調対象空間１の床側には、下階スラブ４と床材５との間に床下空間６が形成され、例えば、床材５に備えられた床側連通部７によって空調対象空間１と床下空間６とが連通されている。空調対象空間１の天井側には、上階スラブ８と天井材９との間に天井空間１０が形成され、例えば、天井材９に備えられた天井側連通部１１によって空調対象空間１と天井空間１０とが連通されている。
【００２７】
ちなみに、床下空間６と空調対象空間１との間、及び、天井空間１０と空調対象空間１との間については、床側連通部７や天井側連通部１１に限らず、その他の構成により連通させることも可能であり、各種の構成を適用することができる。また、図示は省略するが、天井空間１０は外部連通部によって外部に連通可能に構成されており、外部連通部によって天井空間１０の空気の一部が外部に排気されるように構成されている。
【００２８】
顕熱処理空調装置２は、床下空間６に配置され、顕熱処理した給気ＳＡ１を床下空間６に供給することで、空調対象空間１に対して床側から顕熱処理した給気ＳＡ１を供給している。顕熱処理空調装置２に接続された顕熱用吸引路１４は、天井空間１０に開放されており、天井側連通部１１を通して天井空間１０に供給される空調対象空間１からの還気ＲＡを吸引している。顕熱処理空調装置２は、空調対象空間１からの還気ＲＡを天井側から吸引し、その還気ＲＡを顕熱処理（冷却処理）した給気ＳＡ１として空調対象空間１の床側から供給するように構成されている。
【００２９】
潜熱処理空調装置３は、例えば、壁１２を挟んで空調対象空間１に隣接する隣接空間１３に配置されている。潜熱処理空調装置３に接続された潜熱用吸引路１５は、天井空間１０に開放されており、天井側連通部１１を通して天井空間１０に供給される空調対象空間１からの還気ＲＡを吸引している。潜熱処理空調装置３は、図示は省略するが、外気を導入可能に構成されており、導入する外気に対して、必要に応じて空調対象空間１からの還気ＲＡを混合させて、潜熱処理を行うように構成されている。潜熱処理空調装置３に接続された潜熱用供給路１６は、床下空間６に開放されており、潜熱処理した給気ＳＡ２を床下空間６に供給することで、空調対象空間１に対して床側から潜熱処理した給気ＳＡ２を供給している。
【００３０】
潜熱処理空調装置３について説明を加えると、図示は省略するが、潜熱処理空調装置３には、例えば、導入される空気（外気のみ、或いは、外気と還気ＲＡとの混合気）と熱媒体とを熱交換させる熱交換部が備えられている。潜熱処理空調装置３は、熱交換部において熱媒体により導入される空気を冷却除湿して潜熱処理を行い、潜熱処理後の給気ＳＡ２を空調対象空間１に対して床側から供給するように構成されている。熱交換部については、例えば、冷熱源からの冷水を熱媒体として供給する冷水式に構成する、或いは、冷媒回路における膨張後の冷媒を供給する直膨式に構成することができる。また、潜熱処理空調装置３には、熱交換部に加えて、空調対象空間１から外部に排気する還気と外気とを全熱交換させる全熱交換部を備えることもできる。この場合には、全熱交換部にて全熱交換された後の外気を冷却除湿して潜熱処理を行う。
【００３１】
以下、顕熱処理空調装置２について説明を加える。
顕熱処理空調装置２は、図２に示すように、空調対象空間１からの還気ＲＡを冷却処理する冷却処理部２１、その冷却処理部２１での冷却処理後の還気ＲＡを給気ＳＡ１として空調対象空間１に供給する給気供給部２２、顕熱処理空調装置２の運転を制御する制御部２３等が備えられている。
【００３２】
ちなみに、図示は省略するが、顕熱処理空調装置２は、冷却処理部２１に加えて、空調対象空間１からの還気を加熱処理する加熱処理部を備えることができる。この場合、給気供給部２２は、加熱処理部での加熱処理後の還気を給気として空調対象空間１に供給可能に構成されている。この実施形態では、顕熱処理空調装置２にて空調対象空間１を冷房する場合について説明するが、勿論、顕熱処理空調装置２に加熱処理部を備えることで、空調対象空間１を暖房することもできる。
【００３３】
冷却処理部２１は、供給される熱媒体と還気ＲＡとを熱交換させて、還気ＲＡを冷却処理する冷却コイルにて構成されている。図２に示すものでは、冷媒回路２４において膨張弁２５にて膨張後の冷媒Ｂを熱媒体として供給する直膨式の冷却処理部２１を例示している。冷却処理部２１は、例えば、冷熱源から冷水を熱媒体として供給する冷水式とすることもでき、直膨式に限らず、各種の形式のものを適用可能である。
【００３４】
給気供給部２２は、空調対象空間１からの還気ＲＡを吸引して冷却処理部２１に供給し、冷却処理部２１に冷却処理後の給気ＳＡ１を空調対象空間１に供給する給気ファンにて構成されている。
【００３５】
冷却処理部２１及び給気供給部２２は、顕熱処理空調装置２のケーシング２６内に備えられており、ケーシング２６内が還気ＲＡや給気ＳＡ１を通風させる通風空間となっている。
【００３６】
制御部２３は、冷媒回路２４における圧縮機（図示省略）の回転速度、及び、給気供給部２２としての給気ファンの回転速度等を制御することで、顕熱処理空調装置２の運転を制御している。制御部２３は、結露水の発生を防止する運転条件にて冷却処理するように、顕熱処理空調装置２の運転を制御している。
【００３７】
制御部２３は、例えば、各種の温湿度センサの検出情報に基づいて、冷却処理部２１に供給される還気ＲＡの露点温度を求め、その露点温度よりも所定の温度差だけ高い温度を目標温度として設定している。この目標温度の設定については、冷却処理により結露水の発生を防止できる温度であればよく、どのように設定するかについては適宜変更が可能である。
【００３８】
制御部２３は、冷却処理部２１にて冷却処理後の給気ＳＡ１の温度が目標温度になるように、冷媒回路２４における圧縮機（図示省略）の回転速度や、給気供給部２２としての給気ファンの回転速度等を制御している。例えば、冷却処理後の給気ＳＡ１の温度が目標温度よりも低温になる場合には、制御部２３が、冷媒回路２４における圧縮機（図示省略）の回転速度を低下させて冷媒Ｂの蒸発温度を上昇させる、或いは、給気供給部２２としての給気ファンの回転速度を増大させて冷却処理部２１に供給される還気ＲＡの風量を増大させることで、冷却処理後の給気ＳＡ１の温度が目標温度以上となるようにしている。
【００３９】
このように、制御部２３は、結露水の発生を防止する運転条件（冷却処理後の給気ＳＡ１の温度を目標温度とする）にて圧縮機の回転速度や給気供給部２２としての給気ファンの回転速度等を制御することで、結露水の発生を防止しながら、還気ＲＡの顕熱処理を行い、空調対象空間１の顕熱負荷を賄うことができる。
【００４０】
制御部２３の制御によって、冷却処理部２１における結露水の発生は防止されているが、例えば、制御遅れやその他の要因によって、冷却処理部２１において僅かに結露水が発生する可能性がある。
【００４１】
そこで、顕熱処理空調装置２には、冷却処理部２１での冷却処理により発生する結露水を受け止める受け止め部２７、冷却処理部２１での冷却処理により発生する結露水を再蒸発させる再蒸発部２８が備えられている。
【００４２】
冷却処理部２１にて結露水が発生する場合には、結露水が冷却処理部２１の表面において発生して、冷却処理部２１を伝って下方側に落下することになる。受け止め部２７は、冷却処理部２１よりも大きな面積を有する皿状に形成され、冷却処理部２１の真下を含む冷却処理部２１の下方側に配置されている。受け止め部２７は、その一端側部位２７ａが他端側部位２７ｂよりも下方側に位置する傾斜姿勢にて備えられている。受け止め部２７は、下方側に位置する一端側部位２７ａが冷却処理部２１よりも還気ＲＡ等の通風方向の上流側に位置し、上方側に位置する他端側部位２７ｂが冷却処理部２１により還気ＲＡ等の通風方向の下流側に位置している。
【００４３】
再蒸発部２８は、空調対象空間１からの還気ＲＡにて結露水を再蒸発させるように構成されている。給気供給部２２は、冷却処理後の還気ＲＡに加えて、再蒸発部２８にて結露水の再蒸発に用いられた還気ＲＡ１（ＲＡ）を給気ＳＡ１として空調対象空間１に供給するように構成されている。これにより、空調対象空間１からの還気ＲＡを冷却処理部２１に供給し、冷却処理部２１に供給された還気ＲＡを給気ＳＡ１として空調対象空間１に供給するという顕熱処理空調装置２としての本来の機能をそのまま利用しながら、結露水の再蒸発を適切に行うことができる。
【００４４】
再蒸発部２８は、冷却処理部２１にて冷却処理される前の還気ＲＡ１（ＲＡ）を、受け止め部２７において下方側に位置する一端側部位２７ａに供給して結露水を蒸発させるように構成されている。受け止め部２７は、一端側部位２７ａを下方側に位置させる傾斜姿勢であるので、僅かに発生した結露水は受け止め部２７の一端側部位２７ａに集められる。再蒸発部２８は、給気供給部２２としての給気ファンにて通風される還気ＲＡを受け止め部２７の一端側部位２７ａに集められた結露水に直接的に通風させて、結露水を適切に再蒸発させることができる。
【００４５】
再蒸発部２８は、給気供給部２２としての給気ファンの通風方向を調整するだけでよく、給気供給部２２から構成することができる。この実施形態では、ケーシング２６内を還気ＲＡ等の通風空間としているので、給気供給部２２としての給気ファンにて還気ＲＡを通風させることで、冷却処理部２１だけでなく、受け止め部２７の一端側部位２７ａにも還気ＲＡ１を通風させることができる。
【００４６】
図２に示すものでは、ケーシング２６内に、還気ＲＡ等の通風方向で、給気供給部２２、冷却処理部２１の順に配置されているが、図３に示すように、ケーシング２６内に、還気ＲＡ等の通風方向で、冷却処理部２１、給気供給部２２の順に配置することもできる。図３では、図２と同様に、受け止め部２７及び再蒸発部２８を備えることができる。
【００４７】
〔第２実施形態〕
この第２実施形態は、上記第１実施形態と比較すると、冷却処理部２１及び再蒸発部２８の構成が異なるので、図４に基づいて、冷却処理部２１及び再蒸発部２８のみ説明を加える。その他の構成については、上記第１実施形態と同様であるので、説明は省略する。
【００４８】
第２実施形態では、図４に示すように、冷却処理部２１が、冷熱源から冷水Ｃを熱媒体として供給する冷水式に構成されている。冷熱源から冷却処理部２１に冷水Ｃを供給する冷水回路２９には、冷却処理部２１への冷水Ｃの供給状態を制御可能な冷水制御弁３０が備えられている。冷却処理部２１は、上端部から下端部に向けて流通する冷水Ｃにて還気ＲＡを冷却処理するように構成されている。これにより、冷却処理部２１の上端部側では、比較的低温の冷水Ｃが流通するので、その冷水Ｃの冷却処理によって結露水Ｔが発生する場合がある。発生した結露水Ｔは、冷却処理部２１の表面を伝って冷却処理部２１の上端部側から下端部に向けて落下する。
【００４９】
そこで、再蒸発部２８は、結露水が冷却処理部２１の下端部に落下するまでに、冷却処理部２１に供給される還気ＲＡ２にて結露水を再蒸発させるように構成されている。再蒸発部２８は、冷却処理部２１の下方側部位に還気ＲＡ２を供給することで、冷却処理部２１の上端部側にて発生した結露水Ｔがその落下途中で還気ＲＡ２の通風を受けることになり、結露水Ｔが冷却処理部２１の下端部に落下するまでに再蒸発させることができる。
【００５０】
再蒸発部２８は、落下途中の結露水Ｔを再蒸発させるだけでなく、上記第１実施形態と同様に、受け止め部２７において下方側に位置する一端側部位２７ａに還気ＲＡ１を供給することで、受け止め部２７の結露水を蒸発させるように構成されている。
【００５１】
再蒸発部２８は、給気供給部２２としての給気ファンの通風方向を調整するだけでよく、給気供給部２２から構成することができる。この実施形態では、ケーシング２６内を還気ＲＡ等の通風空間としているので、給気供給部２２としての給気ファンにて還気ＲＡを通風させることで、冷却処理部２１の上方側及び下方側だけでなく、受け止め部２７の一端側部位２７ａにも還気ＲＡ１を通風させることができる。
【００５２】
この第２実施形態では、図４に示すように、顕熱処理空調装置２において、ケーシング２６内に、還気ＲＡ等の通風方向で、給気供給部２２、冷却処理部２１の順に配置されているが、図示は省略するが、図３と同様に、ケーシング２６内に、還気ＲＡ等の通風方向で、冷却処理部２１、給気供給部２２の順に配置することもできる。
【００５３】
〔第３実施形態〕
この第３実施形態は、上記第１実施形態と比較すると、冷媒回路２４及び受け止め部２７の構成が異なるので、図５に基づいて、冷媒回路２４及び受け止め部２７のみ説明を加える。その他の構成については、上記第１実施形態と同様であるので、説明は省略する。
【００５４】
冷却処理部２１は、図５に示すように、上記第１実施形態と同様に、冷媒回路２４における膨張後の冷媒Ｂにて還気ＲＡを冷却する直膨式に構成されている。受け止め部２７には、受け止める結露水と熱交換可能に、冷媒回路２４における膨張前の冷媒Ｂを通流させる熱交換用配管部３１が備えられている。
【００５５】
熱交換用配管部３１は、受け止め部２７の底面裏側に接触する状態で配置されており、冷媒回路２４において膨張弁２５にて膨張前の冷媒Ｂを通流させるように構成されている。熱交換用配管部３１は、受け止め部２７において下方側に位置する一端側部位２７ａから他端側部位２７ｂに向けて冷媒Ｂを通流させるように構成されている。熱交換用配管部３１を通流する冷媒Ｂは、膨張弁２５にて膨張前であるので、比較的高温となっている。これにより、熱交換用配管部３１を通流する冷媒Ｂと受け止め部２７の一端側部位２７ａに集められた結露水とが熱交換することで、結露水を再蒸発させることができる。
【００５６】
〔別実施形態〕
（１）上記実施形態では、顕熱処理空調装置２を床下空間６に設置した場合を示したが、例えば、顕熱処理空調装置２を天井空間１０に設置することもでき、顕熱処理空調装置２の設置箇所については適宜変更が可能である。また、潜熱処理空調装置３についても、その設置箇所は適宜変更することができる。
【００５７】
（２）上記実施形態では、冷却処理後の還気ＲＡに加えて、再蒸発部２８にて結露水の再蒸発に用いられた還気ＲＡを給気ＳＡ１として空調対象空間１に供給するに当たり、結露水の再蒸発に用いられていない還気ＲＡも、結露水の再蒸発に用いられた還気ＲＡも、冷却処理部２１にて冷却処理しているが、例えば、結露水の再蒸発に用いられた還気ＲＡについては、冷却処理部２１にて冷却処理することなく給気ＳＡ１として空調対象空間１に供給することもできる。
【符号の説明】
【００５８】
１          空調対象空間
２          顕熱処理空調装置（空調装置）
３          潜熱処理空調装置
２１        冷却処理部
２２        給気供給部
２７        受け止め部
２７ａ      受け止め部の一端側部位
２７ｂ      受け止め部の他端側部位
２８        再蒸発部
３１        熱交換用配管部
ＲＡ        還気
ＳＡ１      給気
【図１】
2018194215.tif 000003
【図２】
2018194215.tif 000004
【図３】
2018194215.tif 000005
【図４】
2018194215.tif 000006
【図５】
2018194215.tif 000007